(57)【要約】【課題】  広告閲覧者に関する複合的分析のためのデータを容易かつ安価に収集することができる広告配信システムを提供する。【解決手段】  携帯電話機３の保有者であって会員登録をした会員からの閲覧要求に応じて、広告コンテンツを配信するインターネットＮを介した広告配信システムであって、管理サーバ１は、処理部４と、広告コンテンツ記憶部５と、会員情報記憶部７と、広告コンテンツの閲覧履歴を記録した閲覧履歴情報記憶部８を備え、前記処理部４は、前記会員の携帯電話機３から閲覧要求のあった広告コンテンツを前記携帯電話機３に送信し、閲覧履歴を前記閲覧履歴情報記憶部８に記録するとともに、一定期間内の閲覧履歴に基づいて、一定期間にわたり継続的に閲覧要求を行った会員を、クロス分析及び時系列分析を連動させた複合的な分析の対象とする。【選択図】    図１
2005332343.tif 000002
【特許請求の範囲】
【請求項１】
携帯電話機の保有者であって会員登録をした会員からの閲覧要求に応じて、その要求された広告コンテンツを前記携帯電話機に配信するインターネットを介した広告配信システムであって、インターネットに接続する前記広告配信システムの運営主体の管理サーバは、処理部と、広告主から提供された広告コンテンツを広告識別情報と対応付けて記憶する広告コンテンツ記憶部と、前記会員に関する属性情報を会員識別情報とともに記憶する会員情報記憶部と、広告コンテンツの閲覧履歴を記録した閲覧履歴情報記憶部を備え、前記処理部は、前記会員の携帯電話機から閲覧要求のあった広告コンテンツを前記広告コンテンツ記憶部から取り出し、前記携帯電話機に送信し、前記会員の会員識別情報と広告識別情報とを含む閲覧履歴を前記閲覧履歴情報記憶部に記録するとともに、一定期間内の閲覧履歴を前記閲覧履歴情報記憶部から抽出し、この抽出された閲覧履歴に基づいて、一定期間にわたり継続的に閲覧要求を行った会員を、クロス分析及び時系列分析を連動させた複合的な分析のためのサンプルデータとして抽出することを特徴とする広告配信システム。
【請求項２】
広告コンテンツには、質問・回答形式のアンケート画面を含むことを特徴とする請求項１に記載の広告配信システム。
【請求項３】
前記処理部は、前記閲覧履歴情報記憶部から会員毎の閲覧回数を参照し、その回数に応じた獲得ポイントを算出することを特徴とする請求項１又は２に記載の広告配信システム。
【請求項４】
前記会員は、前記獲得ポイントに応じて携帯電話料金の割引を受けることができる請求項３に記載の広告配信システム。
【請求項５】
前記広告配信システムに参加する広告主が、その提供する広告コンテンツが閲覧された回数に応じた金額を前記運営主体に支払い、この支払われた金額に基づいて前記獲得ポイントを前記会員に還元することを特徴とする請求項３又は４に記載の広告配信システム。
【請求項６】
一定期間内における同一携帯電話機からの同一の広告コンテンツへの閲覧要求回数に制限を設けることを特徴とする請求項１から５のいずれか１に記載の広告配信システム。
【発明の詳細な説明】
【技術分野】
【０００１】
本発明は、携帯電話機からインターネットを介してアクセスした会員に広告コンテンツを配信する広告配信システムであって、広告を閲覧した会員についての複合的分析のためのデータを収集する広告配信システムに関する。
【背景技術】
【０００２】
インターネットを介して種々の情報提供や宣伝広告を行うシステムは既に多数存在する。これらは、相手の意思によらず一方的にコンテンツを送付するものもあれば、相手の意思によって積極的に送付要求がなされる場合もある。また、後者のように相手の関心のもとに閲覧をさせようとするシステムにおいては、閲覧回数などに応じて閲覧者に対しポイント付与などの特典を準備し、効果的に閲覧者を増加させようとすることも行われている。
さらに、アンケートに回答してもらうことにより、広告を閲覧した者の興味や広告に対する反応などの情報収集をすることもある。
【特許文献１】特開２００４−１１０２８１号公報
【発明の開示】
【発明が解決しようとする課題】
【０００３】
上に述べたようなインターネットを利用した広告配信システムでは、そのアクセスログの分析やアンケートの実施によって、広告を提供する企業にとっての有用な情報が得られる。しかし、真に有用な情報たりうるためには、情報の偏りを解消する工夫が必要である。
【０００４】
ここで、インターネットを介した広告配信ということならば、携帯電話機に限らず、例えばパーソナルコンピュータ（以下「パソコン」という）やＰＤＡ（Ｐｅｒｓｏｎａｌ  Ｄｉｇｉｔａｌ  Ａｓｓｉｓｔａｎｔ）等を利用してもよい。しかし、パソコンやＰＤＡの保有者の分布は、職業の有無や年齢層によって偏りがあると考えられる。これに対し、携帯電話機は、性別や年齢や職業によらず、幅広く保有されている。また、１回購入すると、長期間使い続けられる傾向がある。しかも、携帯電話機は常時携帯されるものであり、操作も容易なので、退屈しのぎにインターネットにアクセスするといったことも多い。そこで、性別や年齢層を問わず、会員を幅広く、かつ、大量に集めるといった観点からは、携帯電話機を介することが最適である。
【０００５】
ところで、広告に関する調査に限らず、社会調査の一般的手法としてパネルデータを用いた分析がある。これは、同一のサンプルのデータについて、追跡調査を行い、クロス分析及び時系列分析を連動させた複合的分析（以下「複合的分析」という）を行おうとするものである。以下、この同一のサンプルのデータをパネラーと呼ぶ。因みに、クロス分析とは、ある時点において収集されたサンプルデータについての分析であり、時系列分析とは、データ（サンプルデータとは限らない）の時間的変動についての分析である。
【０００６】
従来から、パネルデータを用いた分析の手法の効果は十分に認識されてはいた。しかし、同一のパネラーについて追跡調査を行うためには、中途で多量のパネラーの脱落や加入があると、データの偏りを補正しなくてはならない。また、一定数のパネラーを一定期間保持し続けるためには、パネラーへの謝礼なども高額になりがちである。このように、パネルデータを用いた分析は、偏りのないパネラーの確保が困難であるという短所があった。
【０００７】
この発明は、上記の問題点に鑑みてなされたものである。偏りのないパネラーを容易かつ安価に取得するために、広告閲覧手段を携帯電話機に限定し、広告閲覧への意欲を高めるために特典を準備した広告配信システムを提供することを目的とする。
【課題を解決するための手段】
【０００８】
請求項１に記載の発明は、携帯電話機の保有者であって会員登録をした会員からの閲覧要求に応じて、その要求された広告コンテンツを前記携帯電話機に配信するインターネットを介した広告配信システムであって、インターネットに接続する前記広告配信システムの運営主体の管理サーバは、処理部と、広告主から提供された広告コンテンツを広告識別情報と対応付けて記憶する広告コンテンツ記憶部と、前記会員に関する属性情報を会員識別情報とともに記憶する会員情報記憶部と、広告コンテンツの閲覧履歴を記録した閲覧履歴情報記憶部を備え、前記処理部は、前記会員の携帯電話機から閲覧要求のあった広告コンテンツを前記広告コンテンツ記憶部から取り出し、前記携帯電話機に送信し、前記会員の会員識別情報と広告識別情報とを含む閲覧履歴を前記閲覧履歴情報記憶部に記録するとともに、一定期間内の閲覧履歴を前記閲覧履歴情報記憶部から抽出し、この抽出された閲覧履歴に基づいて、一定期間にわたり継続的に閲覧要求を行った会員を、クロス分析及び時系列分析を連動させた複合的な分析のためのサンプルデータとして抽出することを特徴とする。
【０００９】
請求項２に記載の発明は、広告コンテンツには、質問・回答形式のアンケート画面を含むことを特徴とする。
請求項３に記載の発明は、前記処理部は、前記閲覧履歴情報記憶部から会員毎の閲覧回数を参照し、その回数に応じた獲得ポイントを算出することを特徴とする。
請求項４に記載の発明は、前記会員は、前記獲得ポイントに応じて携帯電話料金の割引を受けることができることを特徴とする。
請求項５に記載の発明は、前記広告配信システムに参加する広告主が、その提供する広告コンテンツが閲覧された回数に応じた金額を前記運営主体に支払い、この支払われた金額に基づいて前記獲得ポイントを前記会員に還元することを特徴とする。
請求項６に記載の発明は、一定期間内における同一携帯電話機からの同一の広告コンテンツへの閲覧要求回数に制限を設けることを特徴とする。
【発明の効果】
【００１０】
請求項１〜６に記載の発明によれば、現在普及の著しい携帯電話機を利用した広告配信システムによって、偏りのないパネラーを容易かつ安価に取得することができる。
なぜなら、会員数は多数にのぼるので、その中から、偏りのないようなサンプリングをしても、社会調査に耐えうるだけのサンプル数の確保は十分可能だからである。また、例えば、１回目と２回目とでの共通なサンプルのみを抽出すれば、自動的にパネルデータの収集・分析になっている。そのため、自らがパネラーとなっていることを会員に自覚させるまでもなく、ことさらパネラーとしての契約は必要なく、ましてや高額の謝礼を支払う必要もない。
【００１１】
ここで、サンプリングの不偏性について付言する。この不偏性は調査の目的に依存するので、サンプリング時には、柔軟なサンプル選定が求められるのであるが、従来のパネルデータを用いた調査では、このことが困難であるという問題があった。
しかし、携帯電話機の著しい普及をベースとしたこの発明は、この問題を回避し、柔軟なサンプル選定を可能にした。
【００１２】
上に述べたように、請求項１〜６に記載の発明は、広告主にとって有用な情報の提供ができるので、幅広く広告主を集めることができ、広告コンテンツの内容を充実させることができる。コンテンツが充実すれば、さらに会員が増加するので、広告主にとって有用な情報が一層得やすくなるという効果が望める。
【００１３】
また、請求項２に記載の発明によれば、広告閲覧の有無だけではなく、アンケート項目に応じて得られた情報についての複合的分析結果を得られるので、広告主にとって一層有用な情報を提供できる。
請求項３に記載の発明によれば、会員のコンテンツ閲覧意欲を高めることができ、請求項４に記載の発明によれば、広告コンテンツを閲覧すればするほど携帯電話料金が減額されるので、広告コンテンツの閲覧が促進されるとともに、新規の会員の増加を見込め、請求項５に記載の発明によれば、広告主は、確実に閲覧された回数に応じた広告料を支払えばよいので、この広告配信システムを利用するか否かを適切に判断できる。
さらに、請求項６に記載の発明によれば、ポイントの蓄積のみを目的とした広告閲覧を減少させることができる。
【発明を実施するための最良の形態】
【００１４】
以下に、この実施形態の構成を説明する。
図１に示すのは、この発明を実施する広告配信システムの構成例を示す概念図である。この発明を適用する広告配信システムは、このシステムを運営し、かつ広告コンテンツを管理する運営主体の管理サーバ１と、広告主が広告コンテンツをアップロードするための広告主端末２と、広告閲覧者が広告コンテンツをダウンロードあるいはストリーミングをするための携帯電話機３からなる。
広告主端末２と携帯電話機３とは、インターネットＮを介して管理サーバ１と接続できる。
なお、図１では、携帯電話機３は１台しか記載していないが、台数に制限はない。
【００１５】
図１に示すように、管理サーバ１は、処理部４と、広告コンテンツ記憶部５と、登録コンテンツ管理情報記憶部６と、会員情報記憶部７と、閲覧履歴情報記憶部８と、分析結果記憶部９と、通信部１０を備える。また、管理サーバ１は、広告コンテンツ以外の画面表示情報や会員へ送付するメッセージを格納した記憶部（不図示）も備える。広告コンテンツ以外の画面表示情報には、会員登録画面やコンテンツ選択メニュー画面などのデータを含む。
【００１６】
管理サーバ１のハードウェア構成は、一般に市販されるワークステーション、パソコン等の情報処理装置、およびその付属装置により構成することができる。
また、以下の説明において特に断らないが、管理サーバ１は、インターネットＮと接続する広告主端末２や携帯電話機３との各種信号の送受信を、通信部１０を介して行う。
【００１７】
広告主端末２から、管理サーバ１へ広告コンテンツが送信されたとき、管理サーバ１の処理部４は、広告コンテンツ記憶部５に当該広告コンテンツを記憶する。
この広告コンテンツは、動画や音声を含む広告映像だけでなく、アンケート画面を有してもよい。あるいは、商品等に関する直接的な宣伝を含まず、アンケート画面だけからなる広告コンテンツであってもよい。
また、アンケート画面は、質問・回答形式（予め回答候補が選択肢として列挙されているものに限らず、フリーアンサー形式も含む）からなり、質問としては、広告対象である商品等の認知度や購買意欲を確認しうるようなものが考えられる。
【００１８】
広告コンテンツ記憶部５に当該広告コンテンツを記憶させると同時に、処理部４は、登録コンテンツ管理情報記憶部６に格納された登録コンテンツ管理テーブルに当該コンテンツに関する情報を記録する。
図２は、登録コンテンツ管理テーブル６に格納される項目を例示したものであり、当該コンテンツを他と識別するコンテンツＩＤと必要な情報とからなる。必要な情報としては、広告主名、広告対象である商品等の名称、配信開始希望日、配信終了希望日などがある。現時点で配信中か否かを表すフラグを設けてもよい。このフラグには、例えば、配信中は１をセットしておき、配信開始前と終了後は０をセットしておく。
【００１９】
会員情報記憶部７には、図３に例示するような会員情報テーブルが格納される。
会員とは、携帯電話機を利用してこの広告配信システムにコンテンツの閲覧請求をするために会員登録をした者のことである。この広告配信システムが会員登録制を前提とするのは、後に詳しく説明する複合的分析をするためには、広告閲覧者の属性情報が必要だからである。
会員情報テーブル７には、会員を識別するための識別ＩＤ（以下「会員ＩＤ」ということもある）と年齢、性別などの属性情報を格納する。属性情報としては、他に、職業や居住地や趣味や学歴など種々の情報が考えられる。また、会員情報テーブル７には、会員登録年月日の欄も設ける。職業のような属性は、登録後変更がありうるので、登録時から相当の期間が経過したときは、既登録者に対して再登録を促す必要もあるからである。なお、年齢については、登録年月日がわかれば、処理部４が更新できるので再登録を促すまでもない。
【００２０】
ここでは、説明の便宜上、会員ＩＤとして４桁の番号を用いているが、会員ＩＤとしては、端末ＩＤが適当である。端末ＩＤは、個々の携帯電話機にあらかじめ割り振られており、当該携帯電話機を特定するＩＤだからである。
また、会員情報テーブル７には、当該会員の属性による所属区分の欄も設ける。例えば、３０歳未満の男性は、Ｍ１グループ、３０歳未満の女性は、Ｆ１グループといったようにである。このような区分は、後に説明する複合的分析等で役に立つ。
【００２１】
さらに、会員情報テーブル７には、期間ごとの閲覧有無を示すフラグの欄も設ける。例えば、閲覧フラグ欄に１がセットされていれば、該当期間内にいずれかの広告コンテンツを閲覧したことを意味し、０がセットされていれば、このサイトの広告コンテンツを一つも閲覧しなかったことを意味する。このようなフラグも、後に説明する複合的分析等で役に立つ。
【００２２】
ところで、会員情報テーブル７には、会員の氏名の欄は必須ではない。このシステムの会員は多数を想定しており、特定の誰がどのような広告を閲覧したかということよりも、どのような属性区分に属する人たちがどのような広告に関心を示すかといった傾向を把握することがより重要であると考えられるからである。
【００２３】
閲覧履歴情報記憶部８には、コンテンツ別アクセスログ１１と会員別アクセスログ１２を格納する。これらは、会員が閲覧する都度、その閲覧履歴を記録するものである。
分析結果記憶部９には、閲覧の有無やアンケート結果を対象とした複合的分析の結果を格納する。
【００２４】
次に、会員の携帯電話機３からの閲覧要求があった場合の動作について説明する。
【００２５】
携帯電話機３の保有者が、この広告配信システムのトップページ（不図示）にアクセスしたとき、管理サーバ１の処理部４は、当該携帯電話機３の端末ＩＤをキーとして会員情報テーブル７を検索する。この端末ＩＤと一致する会員ＩＤが検索できなかったときは、未登録なので、このサイトへの会員登録を促す。
【００２６】
図４を参照し、携帯電話機３の表示部（不図示）に表示される画面の遷移の一例について説明する。なお、以下の説明において、携帯電話機３の表示部に表示される画面は、当該携帯電話機３からの要求に応じて管理サーバ１から送信される画像情報に基づいて表示されるものである。
図４の例では、性別として「女性」を選択し、管理サーバに送信すると、管理サーバは、「年齢」を選択させるページを送信する。このような登録画面を介して、会員登録が終了すると、会員情報テーブル７に登録される。
【００２７】
管理サーバ１の処理部４が、端末ＩＤと一致する会員ＩＤを会員情報テーブル７から検出したとき、つまり、このシステムに会員登録済みの場合は、コンテンツ選択画面を送信することになる。
管理サーバ１の処理部４は、図５に示すような、コンテンツ選択のためのメニューページを会員の携帯電話機３に送信する。会員は携帯電話機３の表示部に表示されたメニューから自分の関心のあるコンテンツを選択する。
図５の例では、大分類「洋服」、小分類「コート」と選択し、「エス・アパレル」社のコートに関する広告コンテンツの閲覧を要求している。
【００２８】
管理サーバ１の処理部４は、登録コンテンツ管理テーブル６を参照して要求されたコンテンツのＩＤを抽出し、このコンテンツＩＤに対応した広告コンテンツデータを広告コンテンツ記憶部５から取り出し、会員の携帯電話機３に送信する。
【００２９】
管理サーバ１の処理部４は、広告コンテンツの閲覧要求があると、図６に例示するようなコンテンツ別アクセスログ１１を参照し、当該会員の会員ＩＤを検索する。会員ＩＤが検出されたとき、すなわち、既に当該期間中にこのコンテンツの閲覧を請求したことがあるときは、期間内閲覧回数を抽出する。この抽出した回数が所定の回数に達しているならば、会員の携帯電話機３に対し、要求されたコンテンツを送信せず、閲覧可能回数をオーバーしている旨のメッセージを送信する。このシステムは、閲覧回数に応じたポイントを付与するので、コンテンツに関心がないにもかかわらず、単にポイント取得が目当てでアクセスする会員がありうる。そこで、このようなアクセスを制限しようという趣旨である。
【００３０】
閲覧回数が所定回数に達していなければ、期間内閲覧回数欄に１を加算して更新する。もし、会員ＩＤが検出されなかったときは、当該期間中、最初の閲覧請求なので、コンテンツ別アクセスログ１１に当該会員のＩＤと回数（＝１）とを記録する。
【００３１】
あわせて、管理サーバ１の処理部４は、図７に例示するような会員別アクセスログ１２に、当該コンテンツのＩＤと閲覧請求日時とを記録する。ただし、閲覧回数の上限を超えたために、閲覧を拒否するときは、会員別アクセスログ１２の更新はしない。
【００３２】
管理サーバ１の処理部４は、所定期間が経過すると、当該期間中の会員別の閲覧回数を集計し、ポイントの計算をすることになる。全会員について、会員別アクセスログ１２から閲覧請求日時欄を参照し、当該期間内における閲覧回数を抽出する。もし、閲覧１回につき１ポイントを対応させるならば、１００回閲覧した会員には１００ポイントが付与されることになる。このポイントは、例えば、１ポイント＝１円というように現金に換算され、会員ＩＤと対応づけて携帯電話料金の徴収代行会社に通知される。
そして、徴収代行会社は、ポイント分の現金を割り引いた額を携帯電話料金として会員に請求することになる。つまり、会員は、広告の閲覧回数が多いほど、携帯電話料金が安くなるというメリットが得られることになる。
【００３３】
一方、管理サーバ１の処理部４は、コンテンツ別アクセスログ１１を参照し、期間内閲覧回数欄の数値を合計する。もし、同じ広告主が複数の商品等につき広告コンテンツを提供しているならば、これらの全商品等についての閲覧回数を合計する。回数１回につき、１ポイントを対応させ、例えば、１ポイント＝１．２円というように現金に換算して、管理サーバ１は広告主端末２にシステム利用料を請求することになる。閲覧回数が１０００回あった広告主は１２００円、３００００回あった広告主は３６０００円というように、閲覧された回数の多寡に応じてこのシステムの利用料、つまり広告代を支払えばよいことになる。
なお、回数に従う変動料金とは別に、一定金額の基本料金を設定してもよいことは言うまでもない。これは、広告主と運営主体との契約の問題に過ぎない。
【００３４】
ところで、この広告主から支払われる対価は、会員へのポイントの原資となる。
なお、広告主に対するポイント換算額と、会員に対するポイント換算額とには、差を設け、この差を運営主体の運営費などに充当する。
【００３５】
次に、アクセスログ１１，１２に記録されたデータが複合的分析のためにどのように利用されるかについて説明する。
以下の説明で、２００３年１０月１日から２００３年１２月３１日までをＴ１期、２００４年１月１日から２００４年３月３１日までをＴ２期とする。なお、この説明では２期までであるが、期間の数が増えるほど、マーケティングの現場が望んでいる種々の興味深いデータを提供することができる。
【００３６】
図８は、Ｔ１〜Ｔ２の各期に１回でもコンテンツの閲覧請求をした会員の集合を表している。ここで、閲覧とは、このシステムを利用して、いずれかのコンテンツを閲覧すればよく、特定のコンテンツを閲覧したか否かが問題とされるのではない。
図８の（ａ）の部分に属する会員は、Ｔ１期には閲覧請求をしたことがあるが、Ｔ２期には１回も請求をしなかった会員である。同様に、（ｃ）の部分に属する会員は、Ｔ１期には閲覧請求をしたことがないが、Ｔ２期には１回でも請求をした会員である。もし、Ｔ１、Ｔ２の２期について、継続した閲覧者のデータを収集したいならば、図８の斜線を付した部分（ｂ）に属する会員をデータ分析の対象とすればよい。斜線部分（ｂ）に属する会員は、毎期閲覧をした者であり、データの脱落や新規参入に該当せず、２つの期間の比較をするためのサンプルとして適切だからである。
【００３７】
また、脱落者や新規参入者についての分析を行いたいのであれば、対象者はしかるべく変更される。この発明には、このようなサンプリングの自由性がある。ただし、以下の説明では、継続した閲覧者の分析に限定する。
【００３８】
ところで、通常のパネルデータを用いた調査では、パネラーになってもらうために調査への協力依頼や報酬の支払いが必要となることが通常である。しかし、この発明では、パネラーとしての協力依頼を特に必要とすることはなく、初回のシステム利用時に会員登録をした者の中から、分析目的に応じて、適宜パネラーとして扱えばよい。例えば、継続した閲覧者に関する分析を目的とするならば、図８の（ｂ）の部分に属する者を、無条件でパネラーとして扱えばよい。
【００３９】
では、Ａ社のＸ商品のコンテンツを閲覧した者についての複合的分析をどのように行うかについて、図２、図３、図６、図９に従い説明する。説明を簡単にするために、期間はＴ１期とＴ２期の２期だけとし、会員の区分は４区分だけとし、３０歳未満の男性をＭ１区分、３０歳以上の男性をＭ２区分、３０歳未満の女性をＦ１区分、３０歳以上の女性をＦ２区分とする。
【００４０】
図３より、複合的分析調査の対象となるのは、会員ＩＤ“２００３”の会員（以下、「会員２００３」のように記す）と会員２００５以外の１０名の会員である。この１０名の会員を対象として、Ａ社のＸ商品のコンテンツの閲覧状況を集計する。
図２の登録コンテンツ管理テーブル６より、Ａ社のＸ商品に対応したコンテンツＩＤは、Ａ＿Ｘなので、処理部４は、図６に例示するコンテンツＩＤ＝Ａ＿Ｘのコンテンツ別アクセスログ１１を参照する。
【００４１】
処理部４は、図３に示す会員情報テーブル７から、Ｍ１区分については、会員１００１、会員１００３、会員１００５の３名を調査対象として抽出し、図６のコンテンツ別アクセスログ１１を参照して、これら３名についての閲覧状況を抽出する。この３名のうち、Ｔ１期とＴ２期に閲覧した会員は会員１００３だけであり、Ｔ１期のみ閲覧した会員は会員１００１だけであり、Ｔ２期のみ閲覧した会員は０名であり、Ｔ１期とＴ２期ともに閲覧しなかった会員は会員１００５だけである。他の区分（Ｍ２、Ｆ１、Ｆ２）についても同様に集計する。ここで、図６において、Ｔ２期の会員２００３による閲覧は調査対象から除外される。以上の集計の結果を示すと図９のようになる。
なお、図９において、Ｔ１期欄とＴ２期欄の○印は、閲覧有りを意味し、×印は、閲覧無しを意味する。
区分がより細分化されても、期間が３期以上の場合でも、考え方はまったく同様である。
【００４２】
図９に例示するような、複合的分析の結果から、同一の調査対象（図８の（ｂ））についての、変化の様子が見て取れる。継続的に当該広告コンテンツあるいは当該商品等に関心を有する者の割合と、中途で関心を失った者の割合との比較とか、変化が激しい属性区分は何かとか、種々の有用な情報が得られる。
また、図９の例示では、説明を簡単にするために、単にある期間内において閲覧したか否かについて分析をした。しかし、閲覧時間帯を細分化したり、広告対象である商品等の特有の情報に対応づけて期間をとったりすれば、よりきめ細かい分析ができる。
【００４３】
上に述べた実施形態においては、運営主体側の複数の機能を１台の管理サーバ１で実現する例について説明したが、複数の情報処理装置でこれらの複数の機能を分担して実現してもよいことは当業者にとって自明である。
【００４４】
また、広告コンテンツには、静止画に限らず、動画や音声を含めることができ、配信形式は、ダウンロードでもストリーミングでもよく、特に限定しない。
【００４５】
さらに、会員に付与する特典として、ポイントを蓄積し、携帯電話料金の割引に用いる場合について説明したが、これに限定せず、ポイント数に応じたプレゼントの提供などでもよい。ただ、広告コンテンツの内容次第では、ポイント等の特典を付与しなくても多数の会員が集まり、多量のパネラーが収集できうることは言うまでもない。
【００４６】
閲覧請求から得られたデータは、複合的分析に使用するだけでなく、種々の活用法が考えられ、管理サーバ１側で加工したデータを広告主端末２に提供してもよいが、生の閲覧データを広告主端末２に提供し、データの活用法は広告主側に委ねてもよい。つまり、管理サーバ１側で最小限やるべきことは、できるだけ偏りのない多量のパネラーの収集である。
【００４７】
要するに、今回開示された実施の形態はすべての点で例示であって、制限的なものではなく、種々の変形が可能である。しかし、その変形が特許請求の範囲に記載された技術思想に基づくものである限り、その変形は本発明の技術範囲に含まれる。
【図面の簡単な説明】
【００４８】
【図１】この発明の実施形態の構成例を示す概念図である。
【図２】この発明の実施形態の登録コンテンツ管理テーブルに格納されるデータ構造の例を示す図である。
【図３】この発明の実施形態の会員情報テーブルに格納されるデータ構造の例を示す図である。
【図４】この発明の実施形態の会員登録画面の表示例を示す図である。
【図５】この発明の実施形態のコンテンツ選択メニュー画面の表示例を示す図である。
【図６】この発明の実施形態のコンテンツ別アクセスログに格納されるデータ構造の例を示す図である。
【図７】この発明の実施形態の会員別アクセスログに格納されるデータ構造の例を示す図である。
【図８】この発明の実施形態で例示する複合的分析の対象となりうる会員の範囲を説明する図である。
【図９】この発明の実施形態の複合的分析集計表の例を示す図である。
【符号の説明】
【００４９】
１      管理サーバ
３      携帯電話機
４      （管理サーバの）処理部
５      （管理サーバの）広告コンテンツ記憶部
７      （管理サーバの）会員情報記憶部
８      （管理サーバの）閲覧履歴情報記憶部
Ｎ      インターネット
【図１】
2005332343.tif 000003
【図２】
2005332343.tif 000004
【図３】
2005332343.tif 000005
【図４】
2005332343.tif 000006
【図５】
2005332343.tif 000007
【図６】
2005332343.tif 000008
【図７】
2005332343.tif 000009
【図８】
2005332343.tif 000010
【図９】
2005332343.tif 000011